(57)【要約】【課題】  宿泊小屋にたどり着くまで、家族や各種団体が肌で触れやすく、また、周囲を一望に眺めながら、そして、時々休んで疲れを取りながら、歩行を楽しむことのできる宿泊村としての仮宿泊施設を提供する。【解決手段】  長脚兼用の支柱によって踏板と屋根を高所に架設した長い渡り廊下を構築し、渡り廊下に沿って宿泊小屋と休憩室とを配列し、宿泊小屋については、出入りのための通路を渡り廊下との間に設けた。【効果】  小屋が渡り廊下で連がれる宿泊村（レジャー村、いこいの村）として、周囲を一望に眺めたり休んだりすることで、家族ずれや各種団体がくつろぎながら楽しく利用できる。【選択図】    図１
2006057451.tif 000002
【特許請求の範囲】
【請求項１】
長脚兼用の支柱によって踏板と屋根を高所に架設した長い渡り廊下を構築し、渡り廊下に沿って宿泊小屋と休憩室とを配列し、宿泊小屋については、出入りのための通路を渡り廊下との間に設けたことを特徴とする宿泊村としての仮宿泊施設。
【発明の詳細な説明】
【技術分野】
【０００１】
この発明は、沿道、スキー場、キャンプ場、温泉等における短期または長期滞在の宿泊村としての仮宿泊施設に関する。
【背景技術】
【０００２】
仮宿泊施設は、いわゆる旅館やホテルと称される一般的な建築構造である場合も多いが、情緒的なログハウスや簡易なカプセルホテルも多くなっている。また、原則として賄い無しであるので、非常に簡素化されている場合もあるが、自炊できるようにその設備を整え家庭的な宿泊小屋を造り、小屋が散在する宿泊村が構成されることも多い。
【０００３】
しかし、宿泊小屋が独立して散在することから、家族ずれや各種団体が同時にくつろぐのには適しなかった。また、宿泊村は、眺望に優れた箇所に設けられることが多いが、目的の小屋にたどり着くまで、周囲を一望に眺めるのには適しなく、また、起伏が多いとたどり着くまで疲れやすいという問題があった。
【発明の開示】
【発明が解決しようとする課題】
【０００４】
この発明は、上記のような実情に鑑みて、宿泊小屋にたどり着くまで、家族や各種団体が肌で触れやすく、また、周囲を一望に眺めながら、そして、時々休んで疲れを取りながら、歩行を楽しむことのできる宿泊村としての仮宿泊施設を提供することを課題とした。
【課題を解決するための手段】
【０００５】
上記の課題を解決するために、この発明は、長脚兼用の支柱によって踏板と屋根を高所に架設した長い渡り廊下を構築し、渡り廊下に沿って宿泊小屋と休憩室とを配列し、宿泊小屋については、出入りのための通路を渡り廊下との間に設けたことを特徴とする宿泊村としての仮宿泊施設を提供するものである。
【０００６】
宿泊村としての仮宿泊施設を上記のように構成したから、渡り廊下は脚が長いので、たとえ起伏のある丘等にも脚長の調整により、なだらかに設置することができ、また、渡り廊下と通路によって多数の宿泊小屋を配列し、大規模なレジャー施設とすることができる。また、利用者は肌で触れ合う同じ通行となり、行き来の途中で高所から周囲の景色を一望に眺めたり、休憩室で体を休めることができる。
【発明の効果】
【０００７】
以上説明したように、この発明の仮宿泊施設によれば、小屋が渡り廊下で連がれる宿泊村（レジャー村、いこいの村）として、周囲を一望に眺めたり休んだりすることで、家族ずれや各種団体がくつろぎながら楽しく利用できるという優れた効果がある。
【発明を実施するための最良の形態】
【０００８】
次に、この発明の実施形態を図面に基づいて説明する。
【０００９】
図１は、宿泊村としての仮宿泊施設のレイアウトの一例を示し、図２は、渡り廊下４１に対して小屋としての仮宿泊施設Ｐａと休憩室４３を配置した例を示し、図３は、渡り廊下４１の構造を示し、図４および図５は、仮宿泊施設Ｐａとしての宿泊小屋の構造を示すが、この発明は、これらの図面に限定されるものではないことは言うまでもない。
【００１０】
図１に示す仮宿泊施設Ｐは、道路３７に沿って建設される宿泊村で、サービスハウス３９に通じる長い渡り廊下４１を配置し、小屋の仮宿泊施設Ｐａについては、４箇づつの固まりにして、渡り廊下４１に沿って左右交互に千鳥状に配列され、また、休憩室４３も交互に配列される。４５は駐車場、４６は植込みである。なお、サービスハウス３９には、食堂（レストラン）、風呂、管理室、厨房等が置かれている。
【００１１】
仮宿泊施設Ｐａの４箇の固まりについては、図２に示すように、中心に支柱４９を立設し、それを中心に配置したもので、支柱４９より四方へ仮宿泊施設Ｐａの支持パイプ５１が突設されている。
【００１２】
渡り廊下４１は、図３に示すように、長脚兼用の支柱５３等を骨組みとして、高い箇所に踏板５５、屋根５７を架設する他、両側に円弧形に出張る腰板５９を交互に設け、腰板５９と腰板５９との間が他の施設との接続口６１となっており、一部の接続口６１には仮宿泊施設Ｐａへの通路６３が嵌着され（図２）、一部の接続口６１には休憩室４３が嵌着される。なお、図示はしないが、腰板５９より上にはガラス障子等が嵌着され、夏季には撤去される。休憩室４３はガラス張りとなっており、休みながら周囲を見渡すことができる。
【００１３】
小屋としての仮宿泊施設Ｐａは、円筒形の周壁１の上に円錐形の屋根３を設け、屋根３の頂部に採光兼用の排気口5が備えられる。また、床７の下には全体を受ける基礎９が設けられ、周壁１にはドア８付きの出入口６が設けてある。
【００１４】
周壁１は、ポリエチレンの樹脂パイプ１０を円周に沿って配列し、その配列を外板１２と内板１３とで囲って構成される。また、屋根３についても、樹脂パイプ１１を周囲から中心に集めて放射状に配列し、屋根板１５と天井の裏板１６とで囲って構成され、パイプ１１の上端が排気口５に開口している。
【００１５】
基礎９を巾狭くすることによって、周壁１のパイプ１０が周囲において下端１４に開口している。また、屋根３のパイプ１１が周壁１のパイプ１０と連通している。そこで、周壁１のパイプ１０の１部について屋根３のパイプ１１を通して排気口５に空気が抜ける。また、他のパイプ１０については、屋根板１５と裏板１６との間から排気口５に抜ける。そして、パイプ１０、１１が円形であることから、外板１２と内板１３との間、屋根板１５と天井板１６との間には、それぞれ隙間を有し、周壁１の隙間も下端１４に抜けているので、その隙間により周壁１および屋根３内の空気が排気口５に抜けるようになっている。
【００１６】
排気口５は、昇降蓋１９付きであって、屋根壁１５と連結される外筒２１と、裏板１６と連結される低い円筒２２とからなり、外筒２１には網状に多数の通気孔２３が形成されている。
【００１７】
昇降蓋１９は、上面に採光のガラス２５を有するもので、周囲には外筒２１に嵌まる蓋筒２７を有し、それにも通気孔２３が開けられている。そこで、両方の通気孔２３、２３が合わされることによって排気がなされるが、昇降蓋１９が持ち上がるとさらに排気量が多くなる。昇降蓋１９の上下については、その中心に支持部材２９を垂設し、天井にはその支持部材２９を上下するターンバックルによる昇降装置３１が設けられる。なお、室内には二段ベッド３６を設け、この場合は寝室となっている。
【図面の簡単な説明】
【００１８】
【図１】この発明の一実施形態において、村としての仮宿泊施設を示すレイアウトとしての平面図である。
【図２】同平面図の一部拡大した説明図である。
【図３】同村における渡り廊下を休憩室との関係で示す斜視図である。
【図４】小屋としての仮宿泊施設の一例を一部切欠し昇降蓋が分離された状態で示す斜視図である。
【図５】同仮宿泊施設の縦断面図である。
【符号の説明】
【００１９】
Ｐ  村としての仮宿泊施設
Ｐａ  宿泊小屋としての仮宿泊施設
４１  渡り廊下
４３  休憩室
６３  通路
【図１】
2006057451.tif 000003
【図２】
2006057451.tif 000004
【図３】
2006057451.tif 000005
【図４】
2006057451.tif 000006
【図５】
2006057451.tif 000007